(57)【要約】【課題】矩形のフィルターを備えたドリップバッグは、開口が小さく湯が注ぎにくく、また、フィルターの直線状の辺が真下（カップの底側）を向く姿勢となるので、湯切れが悪い。【解決手段】フィルター１０は、隣接する２つの辺である開封隣接片と対向片とを切り離して開口４を形成するので、開口４はかなり大きな面積を有し、湯が注ぎやすい。また、ホルダー２０の係止部２２ａと係止部２２ｂはカップ３の縁に係止して、フィルター１０を傾いた姿勢で支持し、頂部１３が最下方に位置するので、抽出後における湯切れが非常によい。【選択図】　　　図２
2004121517.tif 000002
【特許請求の範囲】
【請求項１】
内部に被抽出物が充填され、外側縁が密封されてなる袋状のフィルターと、使用時に前記フィルターを支持する前記フィルターに固着されたホルダーとを具備するドリップバッグにおいて、前記フィルターは平面形状が矩形で、隣接する二辺に使用時に開口を形成するための開封部が形成されていることを特徴とするドリップバッグ。
【請求項２】
請求項１に記載したドリップバッグにおいて、ホルダーにはフィルターの開封部を有しない隣接する二辺の接合部によって形成される頂部が最下方に位置する姿勢に、前記フィルターを支持するための支持手段が設けられていることを特徴とするドリップバッグ。
【請求項３】
請求項１または２に記載したドリップバッグにおいて、ホルダーにはフィルターの側面を露出させるための開口が形成されていることを特徴とするドリップバッグ。
【請求項４】
請求項２または３に記載したドリップバッグにおいて、支持手段は、垂直方向と水平方向の位置が異なるように配置された少なくとも２つの係止部とによって構成されていることを特徴とするドリップバッグ。
【請求項５】
請求項４に記載に記載したドリップバッグにおいて、係止部どうしを結ぶ仮想線と水平線とがなす角の角度は３０°〜５０°であることを特徴とするドリップバッグ。
【発明の詳細な説明】
【０００１】
【発明の属する技術分野】
本発明はレギュラーコーヒーや紅茶、緑茶等の抽出に用いるドリップバッグに係り、特に袋状のフィルターにレギュラーコーヒー等が入れられ、このフィルターをカップ上に支持するホルダーを備えたドリップバッグに関するものである。
【０００２】
【従来の技術】
レギュラーコーヒー、紅茶、緑茶等の抽出タイプの嗜好飲料を手軽に作るために、嗜好飲料の原料を少量ずつ個装してなるドリップバッグが種々提案されている。ドリップバッグは袋状のフィルターと、このフィルターをカップなどの上部に載置するための厚紙製のホルダーとを備えている。
従来のドリップバッグのなかに平面形状が矩形のフィルターを備えたものがあり、このフィルターは形状的に製造し易い等の利点を有している。
【０００３】
矩形のフィルターを備えたドリップバッグを使用する際にはドリップバッグの上端部に設けられたミシン線に沿ってフィルターの上端部を切り取りって開封し、フィルターの上端部に開口を形成する。そして、ホルダーをカップの縁に係止させて、フィルターをカップの開口に対応するように支持する。そして、フィルターの開口へ湯を注いでレギュラーコーヒー等の抽出を行う。
【０００４】
【発明が解決しようとする課題】
しかしながら、従来の矩形のフィルターを備えたドリップバッグは、フィルター上端側の一辺のみに開口が形成されるので、開口が小さく湯が注ぎにくいという問題がある。
また、矩形のフィルターの直線状の辺が真下（カップの底側）を向く姿勢となるので、湯切れが悪く、抽出終了後ドリップバッグを外した際に抽出液が垂れて、カップの周囲を汚すおそれが高い。さらに、フィルターから垂れた抽出液が手などにかかって思わぬ火傷をしてしまうおそれもある。
本発明は上記従来の問題点に着目してなされたものであり、フィルターに十分な面積の開口が形成できて湯が注ぎやすく、しかも抽出後の湯切れのよいドリップバッグを提供することにある。
【０００５】
【課題を解決するための手段】
請求項１記載の発明のドリップバッグは、内部に被抽出物が充填され、外側縁が密封されてなる袋状のフィルターと、使用時に前記フィルターを支持する前記フィルターに固着されたホルダーとを具備するドリップバッグにおいて、前記フィルターは平面形状が矩形で、隣接する二辺に使用時に開口を形成するための開封部が形成されていることを特徴とするものである。
【０００６】
請求項２記載の発明ドリップバッグは、請求項１に記載したドリップバッグにおいて、ホルダーにはフィルターの開封部を有しない隣接する二辺の接合部によって形成される頂部が最下方に位置する姿勢に、前記フィルターを支持するための支持手段が設けられていることを特徴とするものである。
【０００７】
請求項３記載の発明ドリップバッグは、請求項１または２に記載したドリップバッグにおいて、ホルダーにはフィルターの側面を露出させるための開口が形成されていることを特徴とするものである。
【０００８】
請求項４の発明ドリップバッグは、請求項２または３に記載したドリップバッグにおいて、支持手段は、垂直方向と水平方向の位置が異なるように配置された少なくとも２つの係止部とによって構成されていることを特徴とするものである。
【０００９】
請求項５の発明ドリップバッグは、請求項４に記載のドリップバッグにおいて、係止部どうしを結ぶ仮想線と水平線とがなす角の角度は３０°〜５０°であることを特徴とするものである。
【００１０】
【発明の実施の形態】
以下、図面に基づいて、本発明の実施形態に係るドリップバッグ１を説明する。
図１に示すように、ドリップバッグ１は内部に被抽出物としてのレギュラーコーヒー２が充填され、外側縁が密封されてなるフィルター１０と、使用時にフィルター１０を支持するホルダー２０とを具備する。フィルター１０は不織布により構成されており、また、ホルダー２０は厚紙により構成されている。そして、フィルター１０とホルダー２０とは、上側片２１ａの上部において固着部３０を介して固着されている。
【０００１１】
フィルター１０は、平面形状が矩形で、隣接する二辺に使用時に開口４を形成するための開封部としてのミシン線１１が形成されている。使用時には、ミシン線１１に沿ってフィルター１０の上端部を切り取って開封し、１つの開口４が形成される（図２、図３参照）。また、ミシン線１１を有しない折曲辺１２ａと隣接辺１２ｄとの接合部に頂部１３が形成されている。
【００１２】
フィルター１０について詳述する。
フィルター１０は長方形のシートを２つ折りにして、折曲線により形成された折曲辺１２ａ以外の三辺がヒートシールされている。すなわち折曲辺１２ａに隣接しミシン線１１が形成された開封辺１２ｂ、この開封辺１２ｂに隣接しミシン線１１が形成された開封辺１２ｃ、及び折曲辺１２ａに隣接する隣接辺１２ｄを、それぞれヒートシールして形成されている。また、ミシン線１１は、隣接する二辺の長さ方向全域に亘って形成されている。従って、ミシン線１１に沿ってフィルター１０の一部を切り取り開封すると、この二辺全体に亘って開口４が形成される。
【００１３】
ホルダー２０は一対のホルダーハーフ２１からなり、このホルダーハーフ２１は連接部２１ｄで二つ折りされている。ホルダーハーフ２１は線対称形状であり、このホルダーハーフ２１はフィルター１０の両面側に固着部３０を介してそれぞれ固定されている。ホルダー２０は抽出液受容容器としてのカップ３に係止して、フィルター１０を支持する一対の係止部２２ａと一対の２２ｂを有している。なお、連接部２１ｄには折り曲げを容易にするためのミシン線（図示せず）が形成されている。
【００１４】
ホルダーハーフ２１について詳述する。
ホルダーハーフ２１は、上側片２１ａ、垂直片２１ｂ及び下側片２１ｃとが一体に形成されて成り、これら各片に囲まれて形成された開口２４からフィルター１０の側面が露出する。
上側片２１ａはフィルター１０の開封辺１２ｂに沿って配置され、垂直片２１ｂはフィルター１０の開封辺１２ｃに沿って配置されている。また、下側片２１ｃはフィルター１０の対向片１２ｄに沿って配置され、連接部２１ｄの方向へ下がるように傾斜している。垂直片２１ｂの下端部２１ｅは下側片２１を越え、且つフィルター１０の隣接辺１２ｄよりも内側に位置している。
【００１５】
上側片２１ａは、その連接部２１ｄ側から垂直片２１ｂ側に向かうに従って幅が徐々に広くなるように形成されており、また、垂直片２１ｂ及び下側片２１ｃは、ほぼ同じ幅に形成されている。
上側片２１ａの連接部２１ｄの近傍には突出部２１ｆが設けられ、これにより凹状の係止部２２ｂが形成されている。また、垂直片２１ｂと下側片２１ｃとの接合部分の下側には凹状の係止部２２ａが形成されている。係止部２２ａと係止部２２ｂとによって支持手段が構成されている。
【００１６】
係止部２２ｂが係止部２２ａより垂直方向（上下方向）の位置が高く、水平方向（左右方向）の位置も異なるように配置されている。すなわち、係止部２２ｂと係止部２２ａは垂直方向と水平方向の位置が異なるように配置されている。
図６に示すように、ホルダー２０は係止部２２ａと係止部２２ｂとを結ぶ仮想線と水平線（隣接辺１２ｄと平行な線）とがなす角θが４０°になるように設定されている。
【００１７】
本実施形態のドリップバッグ１は、以下のようにして使用する。
フィルター１０をミシン線１１から裂いて開封隣接片１２ｂと対向片１２ｃとを切り離し、図２、図３に示すようにフィルター１０及びホルダー２０を上から見て「く」字状に開いて開口４を形成し、ホルダー２０の４つの係止部２２ａ、２２ｂをカップ３の縁に係止させて、頂部１３がカップ３の底に対向するようにフィルター１０を支持する。
上記のようにフィルター１０の隣接する二辺に設けられた開封隣接片１２ｂと対向片を切り離して開口４を形成するので開口４の面積を大きくとることができ、しかもホルダー２０が「く」の字状に開くので開口４はほぼ限界まで開いた状態となる。
【００１８】
図２、図３に示すように、ホルダー２０の係止部２２ａと係止部２２ｂは、カップ３の縁に係止して、ドリップバッグ１をカップ３に固定する。前述のようにホルダー２０は係止部２２ａと係止部２２ｂとを結ぶ仮想線と水平線（隣接辺１２ｄと平行な線）とがなす角θが４０°になるように設定されているので、ホルダー２０はほぼ４０°傾いた姿勢でカップ３にフィルター１０を支持する。従って、フィルター１０は、その頂部１３が真下を向いて、最下方に位置するように傾斜する姿勢となる。また、フィルター１０の下端部は下側辺２１ｃによっても支持される。
【００１９】
そして、開口４へ湯を注ぐ。このドリップバッグ１の開口４は面積が大きいので、湯が注ぎやすい。また、使用時に一つの頂部１３が真下を向いて最下方に位置するので、速やかに抽出液が頂部１３に集まり、抽出後における湯切れが非常によい。さらに、ホルダー２０にフィルター１０の側面が露出するフィルター露出部２４が形成されているので、抽出液が容易にフィルター１０の外に滲出し、効率よく抽出を行うことができる。
【００２０】
ドリップバッグ１は、以下のようにして製造する。
図４に示すように、フィルターの袋材シート９に、ホルダー２０をヒートシールして固着部３０を形成することにより、ホルダー２０を一定間隔で袋材シート９に固定し、このホルダー２０が固定された袋材シート９を巻き取る。
【００２１】
ホルダー２０が固定された袋材シート９を製袋充填機に装着し、被抽出物２が充填されたドリップバッグ１を製造する。すなわちホルダー２０が固定された袋材シート９を図４において一点鎖線で示す幅方向の中心で２つ折りして、折り込まれたフィルターの袋材シート９の対向片１２ｃと連接部２１ｄとヒートシールにより封止する。そして、図５に示すように充填ノズル５１を介して被充填物としてのレギュラーコーヒー２を対向片１２ｃと連接部２１ｄに囲まれる領域へ充填し、次いで袋材シート９の開封辺１２ｂをシールアンドカットして、ドリップバッグ１を袋材シート９から分離する。なお、封止・切断工程において、同時にミシン線１１の形成も行う。
【００２２】
このように製造できる本実施形態のドリップバッグ１は、特殊な形状にシール・切断することなく、単にフィルター原料シートの垂直方向または水平方向にシールし、裁断することにより製造できるため、容易に製造でき、生産性が高く、フィルターを構成する材料の無駄もない。
【００２３】
なお、本発明のドリップバッグは、上述の実施例に制限されるものではなく、本発明の趣旨を逸脱しない範囲で種々変更可能である。
例えば、係止部の形状は、上述の実施形態に制限されず、種々形状を採用できる。
また、係止部の数は上記実施例のように４つではなく、２つ以上であればいくつでもよい。また、係止部と係止部とを結ぶ仮想線と水平線（隣接辺と平行な線）とがなす角θは４０°に限定されるものではなく、頂部が最下位置にくる値であればよく、およそ３０°〜５０°の範囲で調整する。
【００２４】
また、フィルターとホルダーとの固着は、ヒートシールでなく接着剤を用いて固着してもよい。また、固着部は、上側片上部に限られず、他の部位に形成してもよい。
【００２５】
本発明における前記フィルターの形成材料としては、紙製シート；ポリエチレン繊維製不織布、ポリプロピレン繊維製不織布、ナイロン製不織布等のプラスチック繊維製不織布等が用いられるが、ヒートシール可能なプラスチック繊維製不織布が好ましい。
ホルダーの形成材料としては、フィルターと接着可能で、湯などをフィルター内に注いだ際に湯の重さや熱さに十分耐えられるものであれば特に制限されないが、プラスチックシート等でもよい。
【００２６】
被抽出物としては、コーヒー、緑茶、紅茶、ウーロン茶等が挙げられる。抽出液受容容器としては、カップやポットなどが挙げられる。
また、開封部はミシン線１１の他、易剥離性接着剤による接着部等によって構成してもよい。
なお、抽出は湯による場合だけでなく、冷水による抽出であってもよいのは勿論である。
【００２７】
【発明の効果】
以上のように本発明のドリップバッグによれば、湯（水）が注ぎやすく、しかも抽出後の湯（水）切れがよい。
また、製造が容易で、フィルターを構成する材料の無駄がない。
【図面の簡単な説明】
【図１】本発明のドリップバッグの１実施形態を示す斜視図である。
【図２】図１に示すドリップバッグの使用態様を示す斜視図である。
【図３】図１に示すドリップバッグの製造方法の要部を示す概要図である。
【図４】ドリップバッグを製作する工程を説明するための図である。
【図５】ドリップバッグを製作する工程を説明するための図である。
【図６】ドリップバッグを製作する工程を説明するための図である。
【符号の説明】
１　　ドリップバッグ　　　　　２　　被抽出物
３　　カップ　　　　　　　　　４　　開口
１０　　フィルター　　　　　　１１　　ミシン線
１３　　頂部　　　　　　　　　２０　　ホルダー
２１　　ホルダー本体　　　　　２１ａ　上側片
２１ｂ　垂直片　　　　　　　　２１ｃ　端部
２１ｄ　連接部　　　　　　　　２２ａ，２２ｂ　係止部
２３　　支持部　　　　　　　　２４　　フィルター露出部分
３０　　固着部
【図１】
2004121517.tif 000003
【図２】
2004121517.tif 000004
【図３】
2004121517.tif 000005
【図４】
2004121517.tif 000006
【図５】
2004121517.tif 000007
【図６】
2004121517.tif 000008